(57)【要約】【課題】本発明は、ＩＤタグを保護できるとともに容易に交換でき、さらには、ラッチ部をも保護することができる折り畳みコンテナを提供する。【解決手段】折り畳みコンテナ１は、四角形状の底板２と、該底板２の周縁に回転可能に設けた対向する二対の側壁部３，４とを備え、該側壁部３，４は該底板２側に倒れて折り畳み可能な折り畳みコンテナ１であって、該側壁部３，４に着脱可能に形成し、裏面側にＩＤタグ６を有するＩＤ保護カバー５を備えたことを特徴とする。対向する一対の側壁部３に、コンテナ組立時に他の対向する一対の側壁部４と係合するラッチ部７を備え、該ＩＤ保護カバー５は、該ラッチ部７を覆うラッチカバーを兼ねることが好ましい。【選択図】図２
2015110430.tif 000002
【特許請求の範囲】
【請求項１】
四角形状の底板と、該底板の周縁に回転可能に設けた対向する二対の側壁部とを備え、該側壁部は該底板側に倒れて折り畳むことができる折り畳みコンテナであって、該側壁部に着脱可能に形成し、裏面側にＩＤタグを有するＩＤ保護カバーを備えた折り畳みコンテナ。
【請求項２】
対向する一対の側壁部に、コンテナ組立時に他の対向する一対の側壁部と係合するラッチ部を備え、
該ＩＤ保護カバーは、該ラッチ部を覆うラッチカバーを兼ねる請求項１に記載の折り畳みコンテナ。
【請求項３】
該側壁部に孔部を形成し、該ＩＤ保護カバーに該孔部に係合する爪部を形成した請求項１又は２に記載の折り畳みコンテナ。
【請求項４】
該ＩＤ保護カバーは、裏面側にＩＤタグを取り付けできる収容部を備えた請求項１〜３のいずれかに記載の折り畳みコンテナ。
【請求項５】
該ＩＤ保護カバーは、該側壁部の上辺とそれに並行するリブとの間に納まるように形成した請求項１〜４のいずれかに記載の折り畳みコンテナ。
【発明の詳細な説明】
【技術分野】
【０００１】
本発明は、側壁部を底板側に倒して折り畳むことができる折り畳みコンテナに関する。
【背景技術】
【０００２】
折り畳みコンテナは、使用時には側壁部を立ち上げて箱型に組み立て、運搬物を収容して運搬することができ、不使用時には側壁部を底板側に倒してコンパクトに折り畳み、嵩張らずに運ぶことができるものである。
【０００３】
このような折り畳みコンテナとしては、例えば、下記特許文献１には、側壁部の上辺沿いにラッチ部を備えた折り畳みコンテナが開示され、このコンテナは、ラッチ部により他の側壁部と係合して組み立てることができ、またラッチ部の操作バーを押し下げることにより係合が解除されて折り畳むことができるものである。
【０００４】
また、コンテナに収容される物品に関する情報などが確認できれば利便性が高まる。そこで、下記特許文献２には、容器の側壁に一体的に形成された固定カード差し部材に、取り外し自在カード差し部材を取り付けたカード取付け容器が開示され、この容器は、大きさの異なるカードや厚さの異なるカード等を配設でき、カードに情報を掲載できるものである。
【０００５】
下記特許文献３には、ロック解除部材収納領域内にＩＤタグ収容凹部を形成した折り畳みコンテナが開示され、このコンテナは、ＩＤタグに蓄積された情報の読み込みや書き込みができるだけでなく、ＩＤタグがロック解除部材により覆われるため、破損することなく使用できるものである。
【先行技術文献】
【特許文献】
【０００６】
【特許文献１】特許第４００８４７２号公報
【特許文献２】特開２０１０−２０８６６８号公報
【特許文献３】特許第５１６４６８５号公報
【発明の概要】
【発明が解決しようとする課題】
【０００７】
コンテナにＩＤタグを備えれば、情報の読み込みや書き込みが簡易にでき、収容物などの管理が容易になる。しかし、ＩＤタグは精密な部品であるため衝撃などにより破損してしまうことがある。上記特許文献３に記載のコンテナは、ＩＤタグをロック解除部材の裏側に収容できるようにしたため、ＩＤタグが破損して交換する場合にはロック解除部材を取り外さなければならず交換に手間のかかるものであった。
【０００８】
また、上記特許文献１又は３に示されたラッチ部（ロック解除部材）は、コンテナ組立時に外方に露出しており、他のコンテナや壁面などに直接衝突して破損してしまうおそれがあった。
【０００９】
そこで、本発明は、上記課題を鑑み、ＩＤタグを保護できるとともに容易に交換でき、さらには、ラッチ部をも保護することができる折り畳みコンテナを提供することを目的とする。
【課題を解決するための手段】
【００１０】
本発明の折り畳みコンテナの一形態は、四角形状の底板と、該底板の周縁に回転可能に設けた対向する二対の側壁部とを備え、該側壁部は該底板側に倒れて折り畳むことができる折り畳みコンテナであって、該側壁部に着脱可能に形成し、裏面側にＩＤタグを有するＩＤ保護カバーを備えたものである。
このようにすることにより、ＩＤタグはＩＤ保護カバーにより保護できるとともにＩＤ保護カバーは着脱可能なため側壁部から外してＩＤタグを容易に交換できる。
【００１１】
上記形態において、対向する一対の側壁部に、コンテナ組立時に他の対向する一対の側壁部と係合するラッチ部を備え、該ＩＤ保護カバーは、該ラッチ部を覆うラッチカバーを兼ねることができる。このようにすることにより、ＩＤタグだけでなくラッチ部も保護することができる。
【００１２】
上記形態において、該側壁部に孔部を形成し、該ＩＤ保護カバーに該孔部に係合する爪部を形成することができる。このようにすることにより、ＩＤ保護カバーの着脱を容易に行うことができる。
【００１３】
上記形態において、該ＩＤ保護カバーは、裏面側にＩＤタグを取り付けできる収容部を備えることができる。このようにすることにより、ＩＤタグの取り付け及び取り外しが容易になる。
【００１４】
上記形態において、該ＩＤ保護カバーは、該側壁部の上辺とそれに並行するリブとの間に納まるように形成することができる。このようにすることにより、側壁部が変形しにくくなるため、コンテナに衝撃が加わってもＩＤ保護カバーが外れにくくなり、ＩＤタグを破損から保護することができる。
【図面の簡単な説明】
【００１５】
【図１】本発明の一実施形態の折り畳みコンテナの斜視図である。
【図２】図１の折り畳みコンテナのラッチ部及びＩＤ保護カバー部を分解して示した部分拡大斜視図である。
【図３】図１の折り畳みコンテナにおいて、側壁部と底板とを連結するヒンジ部分を示した部分拡大平面図である。
【図４】図１の折り畳みコンテナにおいて、側壁部同士の連結部分を示した部分拡大斜視図である。
【図５】図１の折り畳みコンテナにおいて、側壁部同士の連結部分の一部を切り欠いて示した部分拡大斜視図である。
【図６】図１の折り畳みコンテナにおいて、ラッチ部及びラッチ配設部を示した部分拡大斜視図である。
【図７】図１の折り畳みコンテナにおいて、短辺側の側壁部の操作部付近を示した部分拡大断面図である。
【図８】図１の折り畳みコンテナにおいて用いるＩＤ保護カバーを示し（Ａ）は表面側斜視図、（Ｂ）は裏面側斜視図である。
【図９】図８に示したＩＤ保護カバーの一変形例を示した裏面側斜視図である。
【発明を実施するための形態】
【００１６】
以下、本発明の折り畳みコンテナの一実施形態について説明するが、本発明は下記実施形態に制限されるものではない。
【００１７】
本発明に一実施形態の折り畳みコンテナ１は、図１又は図２などに示すように、底板２と、その周縁を囲む側壁部３，４と、ＩＤタグ６を有するＩＤ保護カバー５と、を備えたものである。
【００１８】
折り畳みコンテナ１は、特に限定するものではないが、使用時には箱型に組み立てることができ、不使用時には側壁部を底板側に倒して折り畳むことができるものであればよく、従来からある折り畳みコンテナにＩＤ保護カバー５を取り付けできるようにしたものでもよい。
【００１９】
折り畳みコンテナ１は、本実施形態では、図１などに示すように、四角形状の底板２と、底板２の周縁に回転可能に設けた対向する二対の側壁部３，４とを備えている。
【００２０】
底板２は、本実施形態では、平面視長方形状に形成してある。底板２の形状は、これに限定されるものではないが、例えば、平面視正方形状などに形成することもでき、平面視四角形状に形成することが好ましい。
底板２の両短辺側には、図１又は図２に示すように、縁部からやや内側の位置に隆起した細長状の短辺側立上り部２ａが形成してある。また、両長辺側には縁部に沿わせて短辺側立上り部２ａよりも高く隆起した細長状の長辺側立上り部２ｂが形成してある。短辺側立上り部２ａ及び長辺側立上り部２ｂには、図３に示すように、底板平面視においてＴ字状に窪ませたヒンジ受け部２ｃ，２ｄが形成してあり、側壁部３，４を回転可能に取り付けることができるようにしてある。
【００２１】
短辺側立上り部２ａの立ち上がり量は、側壁部３の厚み程にしてあり、側壁部３を底面２側に倒した際に略水平状になるようにしてある。
長辺側立上り部２ｂの立ち上がり量は、側壁部３の厚みと側壁部４の厚みの合算程にしてあり、側壁部４を底面２側に倒した際に側壁部３に重なり略水平状になるようにしてある。
【００２２】
側壁部３は、本実施形態では、図１又は図２に示すように、長方形状の平面部３ａと、平面部３ａの上辺から平面部３ａに対して垂直外方に突出した上辺片３ｂと、平面部３ａの下辺から平面部３ａに対して垂直外方に突出した下辺片３ｃと、上辺片３ｂのやや下方に、上辺片３ｂと並行に形成した横リブ３ｄと、平面部３ａの両側に配した係合部３ｅと、下辺片３ｃから下方に突出したヒンジピン３ｆと、係合部３ｅよりも平面部３ａの中央寄りに形成した縦方向に伸びる側辺片３ｇとを備えている。
本実施形態では、係合部３ｅは縦方向に３つ配してあるが、これに限定されるものではなく、１つ以上配してあればよく、３つ〜５つ配するのが好ましい。また、ヒンジピン３ｆは２つ形成してあるが、これに限定されるものではなく、２つ以上形成するのが好ましい。
【００２３】
上辺片３ｂと横リブ３ｄとの間は、ラッチ部７を備え付けることができるラッチ配設部８としてある。ラッチ部７及びラッチ配設部８については後述する。
係合部３ｅは、図１又は図４に示すように、外方に向けてコの字状に突出させて形成してあり、後述する側壁部４の係合受け部４ｇに係合できるようにしてある。本実施形態では、最上段の係合部３ｅは、他の係合部３ｅよりもやや大きく形成し、また、平面部３ａの中央寄りに配してあるが、これに限定されるものではない。
側辺片３ｇの上方部分は、平面部３ａの中央に向けて一段凹ませた段状に形成してある。
【００２４】
ヒンジピン３ｆは、図３に示すように、下辺片３ｃから下方に突出するＴ字状に形成してあり、ヒンジ受け２ｃに嵌合して側壁部３を底板２に回転可能に取り付けることができるようにしてある。
【００２５】
側壁部４は、本実施形態では、図１に示すように、長方形状の平面部４ａと、平面部４ａの上辺沿いを外方に段状に隆起させた上辺隆起部４ｂと、平面部４ａの下辺から平面部４ａに対して垂直に外方に突出した下辺片４ｃと、上辺隆起部４ｂと下辺片４ｃとの間を架け渡すように形成した複数の縦リブ４ｄと、平面部４ａの両側から側壁部３に向けて突出した突出面部４ｅと、下辺片４ｃから下方に突出したヒンジピン４ｆとを備えている。
本実施形態では、ヒンジピン４ｆは３つ形成してあるが、これに限定されるものではなく、２つ以上形成するのが好ましい。
【００２６】
突出面部４ｅには、図４に示すように、縦方向に配した３つの四角形孔状の係合受け部４ｇが形成してあり、コンテナ組立時に係合部３ｅが係合して側壁部３，４同士を連結することができる。突出面部４ｅの端面には、図５に示すように、四角形穴状のラッチ受け部４ｈを形成し、後述するラッチ部７のラッチ突部７ｉと係合して、コンテナ組立時に側壁部３，４同士を連結することができるようにしてある。
ヒンジピン４ｆは、図３に示すように、ヒンジピン３ｆと同様に、下辺片４ｃから下方に突出するＴ字状に形成してあり、ヒンジ受け２ｄに嵌合して側壁部４を底板２に回転可能に取り付けることができる。
【００２７】
側壁部３，４は、コンテナ組立時には同じ高さになるように形成してある。
【００２８】
ラッチ部７は、図２又は図６に示すように、左右対称形状に形成してあり、上辺片３ｂの下面に沿う操作バー７ａと、操作バー７ａの両端部から下方に鋭角状に内折れさせた復元部７ｂと、復元部７ｂの下端部から横リブ３ｄの上面に沿い、先端部が側辺片３ｇから突出するラッチバー７ｃとを備えている。
【００２９】
操作バー７ａは、図２又は図７に示すように、断面コの字状に形成してあり、上面が上辺片３ｂの下面に沿い、側面がコンテナ外側に位置するようにコンテナ１に配することができる。操作バー７ａの上面の中央付近には、半月状に隆起した操作部７ｄが形成してあり、操作部７ｄは、コンテナ内側に若干突出した突部７ｊを備えている。操作バー７ａには、図２に示すように、下方に棒状に延びる案内バー７ｅが適宜間隔で形成してあり、また、案内バー７ｅの根元付近から斜め外方に延びるバネ片７ｆが形成してある。
【００３０】
復元部７ｂは、図２又は図６に示すように、長方形板状に形成してあり、操作バー７ａと連結する屈曲部７ｇ及びラッチバー７ｃと連結する屈曲部７ｈは弾性変形するように形成してある。
ラッチバー７ｃは、図２に示すように、先端部に向けて傾斜状に厚みを増し、先端部を、側辺片３ｇから外方に突出するラッチ突部７ｉとしてある。
【００３１】
ラッチ配設部８は、図６に示すように、ラッチ部７が配設できるように形成してあり、四方を上辺片３ｂ、横リブ３ｄ及び側辺片３ｇで囲むように形成してある。中央付近には、上辺片３ｂを半月状に、また、平面部３ａを四角形状に切り欠いた操作用孔部８ａが形成してある。
側辺片３ｇには、矩形状のラッチ用孔部８ｂが形成してあり、その孔部８ｂにラッチ突部７ｉを挿入して、ラッチ突部７ｉが側辺片３ｇから突出するようにしてある。
横リブ３ｄの上面中央部には、上方に突き出た段部８ｃが形成してあり、その段部８ｃの両脇には２つの矩形状の案内用孔部８ｄを形成し、案内バー７ｅが挿し通せるようにしてある。
【００３２】
ラッチ部７をラッチ配設部８に配するには、操作バー７ａを上辺片３ｂの下面に沿わせつつ操作部７ｄが孔部８ａから露出するように配し、ラッチバー７ｃを横リブ３ｄの上面に沿わせつつラッチ突部７ｉが孔部８ｃから突き出すように配する。また、案内バー７ｅは、孔部８ｄに挿入させ、バネ片７ｆの先端部は横リブ３ｄの上面に接するようにする。
【００３３】
このように配したラッチ部７は、操作部７ｄに荷重を加えて押し下げることにより、操作バー７ａが下方に移動して復元部７ｂの下端部が平面部３ａの中心に向かい移動する。そのため、ラッチバー７ｃも平面部３ａの中心に向かい移動するため、ラッチ突部７ｉが側辺片３ｇの内側に移動し、ラッチ受け部４ｇから外れる。操作部７ｄの荷重を除くと、復元部７ｂ及びバネ片７ｆにより操作バー７ａは上方に付勢されているため、元の位置に復元し、ラッチ突部７ｉは側辺片３ｇよりも外側に突出する。また、案内バー７ｅは案内用孔部８ｄ内を移動するため操作バー７ａが上下動のみするように規制する。突部７ｊは、操作部７を押し下げた際に、操作用孔部８ａの縁部に接するため、操作バー７ａが下方に移動しないように規制する。
【００３４】
折り畳みコンテナ１は、図１に示すように、ラッチ配設部８に、ＩＤ保護カバー５を着脱可能に取付けできるようにしてあり、ＩＤ保護カバー５はラッチ部７を覆い保護するラッチカバーも兼ねている。
ＩＤ保護カバー５は、本実施形態では、図８に示すように、横長長方形状のカバー部５ａの裏面側にＩＤタグ６を収容できる収容部５ｂを設けてあり、ＩＤタグ６を保護することができる。収容部５ｂはＩＤタグ６が収容できるように形成してあればよく、本実施形態では、横長長方形状に凹ませて形成してある。
ＩＤ保護カバー５は、変形しにくい剛性のある材料、例えば、合成樹脂などで形成するのが好ましい。
ＩＤタグ６は、情報の読み込みや書き込みを非接触で行うことができるものであり、従来公知のものを用いることができる。
【００３５】
カバー部５ａの上端部は、垂直状に折り曲げた上端片５ｃを形成してあり、コンテナ１に取り付けた際にコンテナ内側に位置するように形成してある。上端片５ｃの先端部には、上方に向けて突出した爪部５ｄが適宜箇所に形成してある。上端片５ｃの中央部付近には切り欠き部５ｅが設けてあり、コンテナ１に取り付けた際に操作部７ｄと接触しないようにしてある。
カバー部５ａの下端部は、上端片５ｃとは反対側に垂直状に折り曲げた下端片５ｆが形成してあり、その基端部には、斜め下方に向け突出した爪部５ｇが適宜箇所に形成してある。下端片５ｆの中央部付近には切り欠き部５ｈが設けてあり、コンテナ１に取り付けた際に段部８ｃに接触しないようにしてある。
本実施形態では、爪部５ｄは上端片５ｃの両側端寄りに２つ形成してあるが、これに限定されるものではなく、２つ以上形成するのが好ましい。また、爪部５ｇは下端片５ｆに略等間隔で４つ形成してあるが、これに限定されるものではなく、２つ以上形成するのが好ましい。
【００３６】
カバー部５ａの裏面側には、上端片５ｃと同じ向きに突出した脚部５ｉが適宜箇所に形成してあり、コンテナ１に取り付けた際に脚部５ｉの先端部が平面部３ａに接するようにしてある。
本実施形態では、脚部５ｉは４つ形成してあるが、これに限定されるものではなく、２つ以上形成するのが好ましい。
【００３７】
ラッチ配設部８は、ＩＤ保護カバー５が着脱可能に取付けできるように形成してある。
ラッチ配設部８は、図６又は図７に示すように、上辺片３ｂの先端側の中央部付近には、下方に突出するカバー係合部８ｅが形成してあり、カバー部５ａの上端部が係合できるようにしてある。上辺片３ｂの基端側には、四角形孔状の爪受け部８ｆが形成してあり、爪部５ｄが係合できるように形成してある。横リブ３ｄの上面には、四角形孔状の爪受け部８ｇが形成してあり、爪部５ｇが係合できるように形成してある。
【００３８】
ＩＤ保護カバー５をラッチ配設部８に取り付けるには、例えば、まず、ＩＤ保護カバー５の収容部５ｂにＩＤタグ６を収容する。収容部５ｂにＩＤタグ６を固定する方法は、ＩＤタグ６が収容部５ｂから脱落しないようにしてあればいずれの方法で固定してもよく、接着テープや接着剤などで固定することが好ましい。例えば、図９に示すように、収容部５ｂに向けて突出する舌片状の係合爪部５ｊを適宜箇所に設け、ＩＤタグ６を収容部５ｂに係合させて収容できるようにしてもよい。次に、ＩＤ保護カバー５を斜めに傾けながら上端部をラッチ配設部８内に入れ、爪部５ｄを爪受け部８ｆに係合し、次に、横リブ３ｄを下方に若干撓ませながら下端部の爪部５ｇを爪受け部８ｇに係合する。そして、カバー部５ａの上端部をカバー係合部８ｅに係合するように押し込むことにより取り付けできる。
【００３９】
ＩＤ保護カバー５を取り外すには、例えば、横リブ３ｄを若干押し下げて撓ませ、下端部の爪部５ｇを、爪受け部８ｇから外して手前に引出し、ＩＤ保護カバー５を斜め下方に引くことにより、爪部５ｄと爪受け部８ｆとの係合やカバー部８ａの上端部とカバー係合部８ｅとの係合が外れ、取り外すことができる。
【００４０】
このように折り畳みコンテナ１は、側壁部３にＩＤタグ６を収容したＩＤ保護カバー５を着脱可能に設けたものである。そのため、ＩＤタグ６はＩＤ保護カバー５により保護されており破損しにくくなる。また、ＩＤ保護カバー５を側壁部３に着脱可能に設けたため衝撃などによりＩＤタグ６が破損したとしても容易に交換を行うことができる。
ＩＤ保護カバー５を、ラッチ部７を覆うように取り付ければ、ラッチカバーも兼ねてラッチ部７も保護することができる。
爪部５ｄ，５ｆを爪受け部８ｆ，８ｇに係合してＩＤ保護カバー５を側壁部３に取り付けできるようにすれば、コンテナ１に衝撃が加わったとしても外れにくくなる。
【００４１】
本実施形態では、ＩＤ保護カバー５は、ラッチカバーを兼ねるように形成したが、これに限定されるものではなく、側壁部３，４の外面の何れかの箇所に着脱可能に取り付けてあればよい。また、一対の側壁部３にＩＤ保護カバー５を設け、コンテナ１に対して２つのＩＤタグ６を備えるようにしてもよい。
【符号の説明】
【００４２】
１折り畳みコンテナ
２底板
２ａ短辺側立上り部
２ｂ長辺側立上り部
２ｃヒンジ受け
２ｄヒンジ受け
３側壁部
３ａ平面部
３ｂ上辺片
３ｃ下辺片
３ｄ横リブ
３ｅ係合部
３ｆヒンジピン
３ｇ側辺片
４側壁部
４ａ平面部
４ｂ上辺隆起部
４ｃ下辺片
４ｄ縦リブ
４ｅ突出面部
４ｆヒンジピン
４ｇ係合受け部
４ｈラッチ受け部
５ＩＤ保護カバー
５ａカバー部
５ｂ収容部
５ｃ上端片
５ｄ爪部
５ｅ切り欠き部
５ｆ下端片
５ｇ爪部
５ｈ切り欠き部
５ｉ脚部
５ｊ係合爪部
６ＩＤタグ
７ラッチ部
７ａ操作バー
７ｂ復元部
７ｃラッチバー
７ｄ操作部
７ｅ案内バー
７ｆバネ片
７ｇ屈曲部
７ｈ屈曲部
７ｉラッチ部
７ｊ突部
８ラッチ配設部
８ａ操作用孔部
８ｂラッチ用孔部
８ｃ段部
８ｄ案内用孔部
８ｅカバー係合部
８ｆ爪受け部
８ｇ爪受け部
【図１】
2015110430.tif 000003
【図２】
2015110430.tif 000004
【図３】
2015110430.tif 000005
【図４】
2015110430.tif 000006
【図５】
2015110430.tif 000007
【図６】
2015110430.tif 000008
【図７】
2015110430.tif 000009
【図８】
2015110430.tif 000010
【図９】
2015110430.tif 000011